(57)【特許請求の範囲】
【請求項１】
ガスメータの上部のガス導入口とガス導出口にそれぞれ接続される導入ベンド継手と導出ベンド継手とをそれぞれ収容するために前記ガスメータのガス導入口とガス導出口との間隔と同じ間隔で２つの収容凹部をベンド固定板に形成すると共に、前記収容凹部の開口部分に係合孔とネジ孔を形成し、前記各収容凹部に前記導入ベンド継手と前記導出ベンド継手とをそれぞれ収容し、一端部に固定孔が形成されると共に、他端部に係合舌片が形成されたバンド部材を、前記ベンド固定板の前記係合孔に前記係合舌片が係合するように前記収容凹部の開口部分に掛け渡し、前記固定孔に固定ネジを挿通させて前記ベンド固定板の前記ネジ孔に締め付けるようにしたことを特徴とするガスメータ取付け装置。
【請求項２】
ガスメータの上部のガス導入口に接続される導入ベンド継手と、
前記ガスメータの上部のガス導出口に接続される導出ベンド継手と、
家屋側壁等の固定ベースに取付け固定される取付け基板と、
この取付け基板に前記固定ベースに対して略直交する方向に沿って設けた位置調整長孔と、
この位置調整長孔に挿通された位置調整ボルトにより前記取付け基板に対して位置調整可能に取り付けられたベンド固定板と、
このベンド固定板に形成されて、前記導入ベンド継手と前記導出ベンド継手とをそれぞれ収容する前記ガスメータのガス導入口とガス導出口の間隔と同じ間隔に設定された２つの収容凹部と、
前記各収容凹部の開口部分に形成された係合孔及びネジ孔と、
一端部に固定孔が形成され、他端部に係合舌片が形成されて前記２つの収容凹部に前記導入ベンド継手と前記導出ベンド継手をそれぞれ収容した状態で前記係合舌片を前記係合孔に係合させて前記収容凹部の開口部分に掛け渡されるバンド部材と、
前記固定孔と前記ネジ孔とに挿通されて締め付けられる固定ネジと、
を備えたことを特徴とするガスメータ取付け装置。
【請求項３】
前記固定ネジは、前記固定ベースに対して直交する方向から締め付け可能になされていることを特徴とする請求項１又は２に記載のガスメータ取付け装置。
【発明の詳細な説明】
【０００１】
【発明の属する技術分野】
本発明は、都市ガス等のガス使用量を積算するガスメータを取り付けるためのガスメータ取付け装置に関するものである。
【０００２】
【従来の技術】
従来のガスメータ取付け装置は、例えば特開平１０−１９６３３号公報、特開平９−１７８５２９号公報、特開平７−３３３０３２号公報等に開示されている。この一例を説明すると、従来例えば図１１に示すように通常、ガスメータは家屋側壁等に沿って立ち上げられた直立管の先端にエルボまたはベンドを介して吊り下げられて設置される。図１１において、２は地中から直立して立ち上げられたガス管等の灯外内管で、４は灯外内管２に併設された家屋へガスを供給する灯内内管であり、両者は支持金具６で家屋側壁等の固定ベース８に固定されている。１０は灯外内管２に設けられた元栓コック、１２はガスメータ、１４は灯内内管４に設けた検圧プラグ、１６、１８は上記灯外内管２と灯内内管４の上端に接続されてガスメータ１２を垂下接続するベンド継手である。このようにガスメータ１２は立ち上げ併設された灯外内管２と灯内内管４にベンド継手１６、１８を介して垂下接続され、設置される。この時、一方のベンド継手１６は、ガスメータ１２の上部のガス導入口１２Ａに接続され、他方のベンド継手１８はガスメータ１２の上部のガス導出口１２Ｂに接続される。
【０００３】
【発明が解決しようとする課題】
ところで、最近にあっては、戸建、集合住宅においてもこの種のガスメータ等の設置スペースが非常に狭くなされている場合が増加しており、例えば隣家との間隙が狭い場合にはガスメータ自体の取り付けが困難な場合もあった。また、ガスメータ１２のガス導入口１２Ａとガス導出口１２Ｂとの間隔は一般的には１３０ｍｍに固定されているが、上記灯外内管２及び灯内内管４の施工の不備により内管２、４の上端距離が１３０ｍｍよりもかなり大きく広くなってしまう場合などもあった。このような場合には、ガスメータ１２の取り付けが非常に困難になるなどの問題があった。
本発明は、以上のような問題点に着目し、これを有効に解決すべく創案されたものである。本発明の目的は、ガスメータと家屋側壁との間の距離や灯外内管と灯内内管との間の間隔の変化に対して対応できるガスメータ取付け装置を提供することにある。
【０００４】
【課題を解決するための手段】
請求項１に規定する発明は、ガスメータの上部のガス導入口とガス導出口にそれぞれ接続される導入ベンド継手と導出ベンド継手とをそれぞれ収容するために前記ガスメータのガス導入口とガス導出口との間隔と同じ間隔で２つの収容凹部をベンド固定板に形成すると共に、前記収容凹部の開口部分に係合孔とネジ孔を形成し、前記各収容凹部に前記導入ベンド継手と前記導出ベンド継手とをそれぞれ収容し、一端部に固定孔が形成されると共に、他端部に係合舌片が形成されたバンド部材を、前記ベンド固定板の前記係合孔に前記係合舌片が係合するように前記収容凹部の開口部分に掛け渡し、前記固定孔に固定ネジを挿通させて前記ベンド固定板の前記ネジ孔に締め付けるようにしたことを特徴とするガスメータ取付け装置である。
このように、ベンド固定板に設けた各収容凹部に導入ベンド継手と導出ベンド継手を収容して固定ネジで締め付け固定することにより、各ベンド継手を任意の角度に回転して固定できるので、灯外内管と灯内内管との間の間隔の変化に対して容易に対応することが可能となる。
請求項２に規定する発明は、ガスメータの上部のガス導入口に接続される導入ベンド継手と、前記ガスメータの上部のガス導出口に接続される導出ベンド継手と、家屋側壁等の固定ベースに取付け固定される取付け基板と、この取付け基板に前記固定ベースに対して略直交する方向に沿って設けた位置調整長孔と、この位置調整長孔に挿通された位置調整ボルトにより前記取付け基板に対して位置調整可能に取り付けられたベンド固定板と、このベンド固定板に形成されて、前記導入ベンド継手と前記導出ベンド継手とをそれぞれ収容する前記ガスメータのガス導入口とガス導出口の間隔と同じ間隔に設定された２つの収容凹部と、前記各収容凹部の開口部分に形成された係合孔及びネジ孔と、一端部に固定孔が形成され、他端部に係合舌片が形成されて前記２つの収容凹部に前記導入ベンド継手と前記導出ベンド継手をそれぞれ収容した状態で前記係合舌片を前記係合孔に係合させて前記収容凹部の開口部分に掛け渡されるバンド部材と、前記固定孔と前記ネジ孔とに挿通されて締め付けられる固定ネジと、を備えたことを特徴とするガスメータ取付け装置である。
【０００５】
これにより、ガスメータと家屋側壁等の固定ベースとの間の間隔を調整するには、位置調整長孔に挿通させた位置調整ボルトを緩め、この状態でベンド固定板を位置調整長孔の長さ方向に沿って移動させ、所望する位置で上記位置調整ボルトを締め付けて固定する。また、上記導入ベンド継手と導出ベンド継手との間の距離はガスメータのガス導入口とガス導出口間の距離と一致しているので、灯外内管と灯外内管とに位置合わせするため、両ベンド継手の開き角を変えるには、ベンド固定板に取り付けた固定ネジを緩めてこの状態で両ベンド継手を所望する角度に回転し、この状態で固定ネジを締め付ければよい。
これにより、ガスメータと家屋側壁等との間の距離や灯外内管と灯内内管と接続する際の各内管間の間隔の変化に対して容易に対応することが可能となる。
【０００６】
この場合、請求項３に規定するように、例えば前記固定ネジは、前記固定ベースに対して直交する方向から締め付け可能になされている。これによれば、バンド部材を固定する固定ネジに対するネジ回し操作を家屋側壁等に対して正面から行なうことができるので、取り付け作業性を向上させることが可能となる。
【０００７】
本発明の関連技術は、略垂直に立ち上がる灯外内管又は灯内内管とガスメータ上部のガス導入口又はガス導出口と接続する導入ベンド継手又は導出ベンド継手であって、前記各ベンド継手の前記内管と接続する接続口側端部に内管の接続端部外面を覆うスリーブを設け、該スリーブの内面と前記内管の外面との間をシール部材で密封したことを特徴とするガスメータ接続用ベンド継手である。
これによれば、ベンド継手と灯外内管或いは灯内内管と接続する際に、スリーブとシール部材を用いて行なうようにしているので、この部分のシール性が高くなり、従って、内部に雨水等が浸入することをなくして防蝕性を向上させることができる。
この場合、例えば前記スリーブは、前記ベンド継手の端部に、直接的に、或いは回転継手を介して間接的に接続されるようにしてもよい。
【０００８】
【発明の実施の形態】
以下に、本発明に係るガスメータ取付け装置の一実施例を添付図面に基づいて詳述する。
図１は本発明に係るガスメータ取付け装置を示す側面からの斜視図、図２はガスメータ取付け装置を示す正面からの斜視図、図３はガスメータ取付け装置の分解斜視図、図４はベンド固定板の平面図、図５はベンド固定板の正面図、図６はベンド固定板の側面図である。尚、図１１に示した部分と同一構成部分については同一符号を付す。
図１〜図３に示すように、このガスメータ取付け装置２０は、略逆Ｕ字状に屈曲された導入ベンド継手２２及び導出ベンド継手２４と、取付け基板２６と、この取付け基板２６に設けた２本の位置調整長孔２８Ａ、２８Ｂと、ベンド固定板３０と、このベンド固定板３０に設けた２つの収容凹部３２Ａ、３２Ｂと、上記各ベンド継手２２、２４を固定する固定ネジ３４Ａ、３４Ｂとにより主に構成されている。
具体的には、上記取付け基板２６は、その基端部が略垂直に折り曲げられて固定部２６Ａを形成しており、これに設けた２つのネジ孔３６Ａ、３６Ｂに装着ネジ３８Ａ、３８Ｂを挿通させて締め付けることにより、この取付け基板２６を家屋側壁等の固定ベース８（図１１参照）に取付け固定するようになっている。そして、上記位置調整長孔２８Ａ、２８Ｂは、上記取付け基板２６に貫通させて互いに平行に２本設けられており、その長手方向は固定ベース８に対して略直交する方向に沿っている。
【０００９】
上記ベンド固定板３０の前面側には、半円よりもやや大きく窪ませた２つの収容凹部３２Ａ、３２Ｂが形成されており、この収容凹部３２Ａ、３２Ｂに上記２つの導入ベンド継手２２と導出ベンド継手２４とを収容できるようになっている。この２つの収容凹部３２Ａ、３２Ｂの中心間距離は、前述したガスメータ１２のガス導入口１２Ａとガス導出口１２Ｂの中心間距離、例えば１３０ｍｍと等しくなるように設定されている。このベンド固定板３０の中央には、上記２つの長孔２８Ａ、２８Ｂ間の間隔と同じ間隔で２つのボルト孔４２Ａ、４２Ｂが形成されており、上記２つの各長孔２８Ａ、２８Ｂと対応するボルト孔４２Ａ、４２Ｂを挿通するようにして位置調整ボルト４４Ａ、４４Ｂを締め付けることにより、取付け基板２６とベンド固定板３０とを強固に連結するようになっている。また、上記ベンド固定板３０の前縁部及び２つの収容凹部３２Ａ、３２Ｂの縁部も含めて下方に僅かに屈曲されるようにして鍔部４６が形成されている。そして、図３にも示すように、この鍔部４６には２つのネジ孔４８Ａ、４８Ｂと２つの係合孔５０Ａ、５０Ｂが形成されている。
【００１０】
そして、ここでは固定補助具として、上記各収容凹部３２Ａ、３２Ｂの開口部分を掛け渡すようにして円弧状に成形されたバンド部材５２Ａ、５２Ｂを有しており、この各バンド部材５２Ａ、５２Ｂの内側一端には固定孔５４Ａ、５４Ｂが形成され、外側他端には係合舌片５６Ａ、５６Ｂが形成されている。そして、前記導入ベンド継手２２を一方の収容凹部３２Ａに収容し、前記導出ベンド継手２４を他方の収容凹部３４Ａに収容し、その開口部分に、各バンド部材５２Ａ、５２Ｂの係合舌片５６Ａ、５６Ｂを係合孔５０Ａ、５０Ｂに係合させて、バンド部材５２Ａ、５２Ｂで掛け渡し（図４及び図６参照）、この状態で、上記各固定ネジ３４Ａ、３４Ｂを上記バンド部材５２Ａ、５２Ｂのそれぞれの固定孔５４Ａ、５４Ｂ及びベンド固定板３０のそれぞれのネジ孔４８Ａ、４８Ｂに挿通させて締め付けることにより（図４及び図５参照）、各ベンド継手２２、２４を固定するようになっている。
【００１１】
尚、図１及び図２に示すように、上記導入ベンド継手２２には、元栓コック１０が設けられ、他方の上記導出ベンド継手２４には検圧プラグ１４と、例えば他のガス使用系である給湯器等への配管を接続する供給口６０が設けられる。この供給口６０は不使用時には図示しないプラグによって閉塞される。
さて、このように構成されたガスメータ取付け装置の使用について説明する。まず、最終的な組み立て時には図１にも示すように、導入ベンド継手２２の一端には、灯外内管２の上端が接続され、他端にはガスメータ１２のガス導入口１２Ａが接続されることになる。また、導出ベンド継手２４の一端には、灯内内管４の上端が接続され、他端にはガスメータ１２のガス導出口１２Ｂが接続されることになる。ここで、家屋側壁などの固定ベース８に対してガスメータ１２を接近させて設ける場合には、予め灯外内管２と灯内内管４との間隔をその分、広く設定しておき、そして、取付け基板２６とベンド固定板３０とを固定する位置調整ボルト４４Ａ、４４Ｂを緩めた状態にしておき、この状態でベンド固定板３０を位置調整長孔２８Ａ、２８Ｂの長手方向に沿って移動させてこれを固定部２６Ａ側、すなわち家屋側壁等に近づけるようにする。この時、バンド部材５２Ａ、５２Ｂをベンド固定板３０に固定する固定ネジ３４Ａ、３４Ｂも緩めて遊嵌状態にしておき、両ベンド継手２２、２４が両収容凹部３２Ａ、３２Ｂの中心を軸として自由に回転できる状態にしておく。そして、この両ベンド継手２２、２４を、上記両収容凹部３２Ａ、３２Ｂの中心を軸として外側へ回転させて両内管２、４に接続できる位置まで開いておく。
【００１２】
このようにして、両ベンド継手２２、２４の回転開き具合及びベンド固定板３０の移動位置調整が適正になった位置で、両位置調整ボルト４４Ａ、４４Ｂ及び両固定ネジ３４Ａ、３４Ｂを締め付け固定すれば、全体を固定することができる。このような状態の一例は、図７に示されており、図７においては、両ベンド継手２２、２４は基準位置から回転角度θが略４５°程度開いた状態を示しており、この時、ベンド固定板３０は距離Ｌ１だけ固定部２６Ａ側に向けて移動されている。
このようにして、例えば隣家との間隔が狭いような場合には、回転角度θを最大９０°まで広げることにより、ガスメータ１２のはみ出しを抑制することができる。
【００１３】
また、灯外内管２及び灯内内管４の立ち上げ配管の施行が不備で、両内管２、４の間隔が設計値よりも大きくなってしまった場合にも、上述のようにベンド固定板３０の位置調整と両ベンド継手２２、２４の回転角度θの調整を行なうことにより、立ち上げ配管の施行不備を解消することができる。
また、図３に示すようにバンド部材５２Ａ、５２Ｂを固定する固定ネジ３４Ａ、３４Ｂは、家屋側壁に対して直交するようにその正面から操作できるようになっているので、作業者にとっても締め付け作業が行ない易くなり、作業性を向上させることが可能となる。
尚、ここでは各バンド部材５２Ａ、５２Ｂの一端の係合舌片５６Ａ、５６Ｂをベンド固定板３０の係合孔５０Ａ、５０Ｂに係合させて組み付けるようにしているが、この部分に例えば蝶番を設けてバンド部材５２Ａ、５２Ｂを回動可能に支持させるようにしてもよい。これによれば、係合舌片５６Ａ、５６Ｂを係合孔５０Ａ、５０Ｂへ挿入する手間が省け、一層作業性を向上させることが可能となる。
【００１４】
また、上記実施例では、ベンド固定板３０に両ベンド継手２２、２４を固定するためにバンド部材５２Ａ、５２Ｂを設けたが、これに限定されず、例えば図８に示すようにベンド固定板３０の両収容凹部３２Ａ、３２Ｂを深く形成してこれにそれぞれのベンド継手２２、２４を完全に収容できるようにし、そして、これらの開口部分に掛け渡すようにして固定ネジ６２Ａ、６２Ｂを設けて、これにより締め付け固定するようにしてもよい。
また、ここではベンド固定板３０を保持した２つのベンド継手２２、２４を、取付け基板を介して家屋側壁等に固定する場合を例にとって説明したが、これに限定されず、起立された灯内外管と灯内内管の上端に、家屋側壁等に支持させることなくガスメータを取付ける場合にも、前述したベンド固定板３０の収容凹部３２Ａ，３２Ｂに両ベンド継手を収容し、これを固定ネジで締め付けるようにしてもよい。この場合には、ガスメータを家屋側壁等に支持させることなく、灯内外管と灯内内管の上端にガスメータを単独で起立させて支持させることができる。
尚、上記したガスメータ１２のガス導入口１２Ａとガス導出口１２Ｂとの間の距離は単に一例を示したに過ぎず、これに限定されないのは勿論である。
【００１５】
次に、上記導入ベンド継手２２及び導出ベンド継手２４の一端がそれぞれ灯外内管２及び灯内内管４の上端とねじ込み接続される接続端部の実施例を図９、図１０に示す。
図９の実施例では元栓コックを設けた導入ベンド継手に灯外内管を接続した部分を示す部分破断図である。ここでは、導入ベンド継手２２に灯外内管２を接続する場合を例にとって説明するが、導出ベンド継手２４と灯内内管４との接続部の構造も全く同様に構成される。
図９において、導入ベンド継手２２の一端へは例えば地中から略垂直に立ち上がる灯外内管２がねじ込み接続される。この灯外内管２、例えば外面樹脂被覆鋼管よりなり、この端部に形成された雄ねじ２Ａが導入ベンド継手２２の管用雌ねじ２２Ａに螺合する。この管用雌ねじ２２Ａの端部側に灯外内管２の螺合端部を覆うスリーブ２２Ｂを形成してあり、このスリーブ２２Ｂの内面は端部側に向かって緩やかに拡がるテーパ内面となっている。
【００１６】
接続時は灯外内管２の雄ねじ外面に例えば粘弾性のブチルゴムテープよりなるシール部材２５を巻き、上記導入ベンド継手２２の管内雌ねじ２２Ａに螺合する。この螺合によってブチルゴムテープよりなるシール部材２５はスリーブ２２Ｂの内面で圧縮され、スリーブ２２Ｂの内面と灯外内管２の雄ねじ２Ａの外面及び外面樹脂被覆層と密着し、螺合ねじの接続部はブチルゴムテープよりなるシール部材２５によって外部環境から遮断される。このため、灯外内管２の外面樹脂被覆層が剥がされた雄ねじ２Ａや金属露出部分に雨水等が浸入せず、防蝕が果たされる。尚、このスリーブ２２Ｂは導入ベンド継手２２又は導出ベンド継手２４と上記のように一体で成形しても良いが、これに限定されず、ベンド継手２２、２４の端部に別体の例えば樹脂製のスリーブを係止させて設けるようにしてもよい。
【００１７】
また、図１０はガスメータ接続用ベンド継手の他の実施例を示す図であり、ここでは導入ベンド継手２２の端部に回転継手６０を設け、この回転継手６０の灯外内管２との接続端部にスリーブ６１を設けた実施例を示す。尚、図９でも説明したように、ここでは導入ベンド継手２２に灯外内管２を接続する場合を例にとって説明するが、導出ベンド継手２４と灯内内管４との接続部の構造も全く同様に構成される。
上記ベンド継手２２と上記回転継手６０の接続構造は、接続部に例えばＣリングワッシャー６２を介在させて両者を回転可能に結合しており、上記回転継手６０側に装着したＯリング６３、６４と上記ワッシャー６２の端部側に装着した水密Ｏリング６５によって両者が回転可能にシールされている。上記回転継手６０の端部側（図中の下端部）は前記と同様に内管２と接続する管用雌ねじ６６及びスリーブ６１を設け、スリーブ６１の内面は端部に向かって拡径するテーパ内面に形成してある。
【００１８】
この実施例の場合には、接続時に内管２の雄ねじ２Ａの終端部に例えばゴムリングよりなるシール部材６７を装着して上記回転継手６０の雌ねじ６６に螺合される。この回転継手６０はベンド継手２２と無関係に回転できるので内管２と容易に螺合接続できる。また、螺合接続によってゴムリングよりなるシール部材６７はスリーブ６１のテーパ内面で圧縮され、内管２の雄ねじ２２Ａの外面及び外面樹脂被覆層と密着して外部環境から密封シールされる。このため内管２の金属露出部分に外部から雨水等が浸入せず、防蝕が果たされる。この実施例の場合も、回転継手６０とは別体のスリーブを回転継手６０に係止させて設けても良い。
【００１９】
【発明の効果】
以上説明したように、本発明のガスメータ取付け装置によれば、次のように優れた作用効果を発揮することができる。
請求項１に規定する発明によれば、ベンド固定板に設けた各収容凹部に導入ベンド継手と導出ベンド継手を収容して固定ネジで締め付け固定することにより、各ベンド継手を任意の角度に回転して固定できるので、灯外内管と灯内内管との間の間隔の変化に対して容易に対応することができる。
請求項２に規定する発明によれば、ガスメータと家屋側壁等との間の距離や灯外内管と灯内内管との管の間隔の変化に対して容易に対応することができる。
更に請求項３に規定する発明によれば、バンド部材を固定する固定ネジに対するネジ回し操作を家屋側壁等に対して正面から行なうことができるので、取り付け作業性を向上させることができる。
【図面の簡単な説明】
【図１】  本発明に係るガスメータ取付け装置を示す側面からの斜視図である。
【図２】  ガスメータ取付け装置を示す正面からの斜視図である。
【図３】  ガスメータ取付け装置の分解斜視図である。
【図４】  ベンド固定板の平面図である。
【図５】  ベンド固定板の正面図である。
【図６】  ベンド固定板の側面図である。
【図７】  本発明のガスメータ取付け装置の導入ベンド継手と導出ベンド継手とを開いた状態を示す斜視図である。
【図８】  ベンド固定板の変形例を示す平面図である。
【図９】  ガスメータ接続用ベンド継手の実施例を示す部分破断図である。
【図１０】  ガスメータ接続用ベンド継手の他の実施例を示す部分破断図である。
【図１１】  従来のガスメータ取付け装置の取付け状態を示す図である。
【符号の説明】
２  灯外内管
２Ａ  雄ねじ
４  灯内内管
８  固定ベース
１２  ガスメータ
１２Ａ  ガスメータのガス導入口
１２Ｂ  ガスメータのガス導出口
２０  ガスメータ取付け装置
２２  導入ベンド継手
２２Ａ  管用雌ねじ
２２Ｂ  スリーブ
２４  導出ベンド継手
２５  シール部材
２６  取付け基板
２８Ａ，２８Ｂ  位置調整長孔
３０  ベンド固定板
３２Ａ，３２Ｂ  収容凹部
３４Ａ，３４Ｂ  固定ネジ
４４Ａ，４４Ｂ  位置調整ボルト
５２Ａ，５２Ｂ  バンド部材
６０  回転継手
６１  スリーブ
６６  管用雌ねじ
６７  シール部材
【図１】
0004038968.tif 000002
【図２】
0004038968.tif 000003
【図３】
0004038968.tif 000004
【図４】
0004038968.tif 000005
【図５】
0004038968.tif 000006
【図６】
0004038968.tif 000007
【図７】
0004038968.tif 000008
【図８】
0004038968.tif 000009
【図９】
0004038968.tif 000010
【図１０】
0004038968.tif 000011
【図１１】
0004038968.tif 000012